(57)【要約】【課題】座金のボルトからの脱落が抑制された座金付ボルトを提供する。【解決手段】座金付ボルト１０によれば、ボルト２４の軽合金ダイキャスト１４との螺合部位よりボルト２４の頭部２０側に向けて雄ネジ延長部４２が形成され、雄ネジ延長部４２には、絶縁ワッシャ２８の回転を抑制する回止め部４４が形成されているため、雄ネジ延長部４２に設けられた回止め部４４により絶縁ワッシャ２８の回転が抑制されることにより、絶縁ワッシャ２８のボルト２４の頭部２０とは反対方向への軸方向の移動が抑止され、絶縁ワッシャ２８のボルト２４からの脱落が抑制される。【選択図】図１
2016114222.tif 000002
【特許請求の範囲】
【請求項１】
内径側に雌ネジを有する座金と、該雌ネジと螺合可能な雄ネジが形成された軸部と、該軸部の一端に該軸部より大径に形成された頭部とを有するボルトとよりなる座金付ボルトであって、
前記ボルトの相手側部材との螺合部位よりボルト頭部側に向けて雄ネジ延長部が形成され、前記雄ネジ延長部には、前記座金の回転を抑制する回止め部が形成されていることを特徴とする座金付ボルト。
【請求項２】
前記回止め部は、前記雄ネジ延長部の一部がカシメ加工により局所的に変形されたものであることを特徴とする請求項１の座金付ボルト。
【請求項３】
前記回止め部は、前記雄ネジ延長部の一部が前記座金の雌ネジのピッチより小さいピッチに変形されたものであることを特徴とする請求項１の座金付ボルト。
【請求項４】
前記雄ネジ延長部は、前記相手側部材との螺合位置から、前記ボルト頭部と前記相手側部材との間で締結される被締結部材の厚み範囲以下まで延長されていることを特徴とする請求項１から３のいずれか１の座金付ボルト。
【請求項５】
前記軸部には、前記雄ネジ延長部と前記ボルト頭部との間に、前記座金の内径よりも小径の首部が形成されていることを特徴とする請求項１から４のいずれか１の座金付ボルト。
【発明の詳細な説明】
【技術分野】
【０００１】
本発明は、座金付ボルトに関し、とりわけ、座金のボルトからの脱落を抑制する技術に関する。
【背景技術】
【０００２】
雄ネジを有するボルトと、ボルトに取り付けられた座金とから構成される座金付ボルトが知られている。このような座金付ボルトは、たとえば、ボルトが螺合される雌ねじを有する相手側部材との間に被締結部材を締結する際のボルトの頭部と被締結部材との間への座金の介在忘れが防止されたり、ボルトと座金を個別に管理するよりも管理が容易となるなどの利点があり、従来から、ボルトに予め取り付けられた座金のボルトからの抜け落ちが抑制された座金付ボルトが提案されている。たとえば、特許文献１の座金付ボルトがそれである。
【０００３】
特許文献１の座金付ボルトは、その図１に示されるように、ボルトの頭部側の開口径が雄ネジの谷径以上山径以下且つ、頭部側とは反対側の開口径が雄ネジの山径以上となるようにボルトの頭部から厚み方向に離隔するにつれて次第に開口径が大きくされることにより形成された環状突起部を貫通穴の内周に有する円板状の座金を、雄ネジとボルト頭部との間のネジの無い首部に備えている。この座金は、その環状突起部と予めボルトに形成されている雄ネジの谷との間に生じる一定の隙間を利用して雄ネジのネジ山の螺旋に沿って傾斜されつつ回転され、環状突起部が雄ネジの谷に案内されるようにしてボルトの頭部方向へ軸方向に移動されることによりボルトに取り付けられ、貫通穴のボルトの頭部側の開口径が雄ネジの谷径以上山径以下であることから、雄ネジのネジ山の螺旋に沿って傾斜されつつ回転されない限り、ボルトの脱落が防止される。このようにして構成される座金付ボルトは、座金のボルトからの取外しが可能であることから、たとえば座金とボルトとのいずれかに不具合が生じた場合には、不具合が生じた方のみ交換などすれば足り、メンテナンスコストを低減することが可能となる。
【先行技術文献】
【特許文献】
【０００４】
【特許文献１】特開２００２−２５０３２６号公報
【発明の概要】
【発明が解決しようとする課題】
【０００５】
しかしながら、上記特許文献１の座金付ボルトは、たとえば量産工程における搬送中に加えられる振動などにより、座金が雄ネジのネジ山の螺旋に沿って傾斜されてボルトへの取付け時とは反対方向へ移動することによりボルトから意図せず外れる可能性があった。
【０００６】
本発明は、以上の事情を背景として為されたものであり、その目的とするところは、座金のボルトからの脱落が抑制された座金付ボルトを提供することにある。
【課題を解決するための手段】
【０００７】
上記目的を達成するための本発明の要旨とするところは、内径側に雌ネジを有する座金と、該雌ネジと螺合可能な雄ネジが形成された軸部と、該軸部の一端に該軸部より大径に形成された頭部とを有するボルトとよりなる座金付ボルトであって、前記ボルトの相手側部材との螺合部位よりボルト頭部側に向けて雄ネジ延長部が形成され、前記雄ネジ延長部には、前記座金の回転を抑制する回止め部が形成されていることにある。
【発明の効果】
【０００８】
本発明の座金付ボルトによれば、前記ボルトの相手側部材との螺合部位よりボルト頭部側に向けて雄ネジ延長部が形成され、前記雄ネジ延長部には、前記座金の回転を抑制する回止め部が形成されているため、雄ネジ延長部に設けられた回止め部により座金の回転が抑制されることにより、座金のボルトの頭部とは反対方向への軸方向の移動が抑止され、座金のボルトからの脱落が抑制される。
【０００９】
ここで、好適には、前記回止め部は、前記雄ネジ延長部の一部がカシメ加工により局所的に変形されたものであるため、カシメ加工により局所的に変形された雄ネジ延長部の一部により座金の回転が抑制されることにより、座金のボルトの頭部とは反対方向への軸方向の移動が抑止され、座金のボルトからの脱落が抑制される。
【００１０】
また、好適には、前記回止め部は、前記雄ネジ延長部の一部が前記座金の雌ネジのピッチより小さいピッチに変形されたものであるため、座金の回転が抑制されることにより、座金のボルトの頭部とは反対方向への軸方向の移動が抑止され、座金のボルトからの脱落が抑制される。
【００１１】
また、好適には、前記雄ネジ延長部は、前記相手側部材との螺合位置から、前記ボルト頭部と前記相手側部材との間で締結される被締結部材の厚み範囲以下まで延長されているため、雄ネジ延長部の相手側部材との螺合位置からの延長は、被締結部材の厚みを越えて為されないことにより、ボルトの軸部の長さが大きくなることが抑制される。
【００１２】
また、好適には、前記軸部には、前記雄ネジ延長部と前記ボルト頭部との間に、前記座金の内径よりも小径の首部が形成されているため、座金とボルト軸部とが干渉して損傷することが抑制される。
【図面の簡単な説明】
【００１３】
【図１】座金付ボルトにより板状部材が軽合金ダイキャストに締結された状態を示す断面図である。
【図２】図１の座金付ボルトに備えられた絶縁ワッシャの平面図である。
【図３】図２の絶縁ワッシャの内径の中心を通る断面図である。
【図４】図１の座金付ボルトの断面図である。
【図５】図４の座金付ボルトのＶ−Ｖ視断面図である。
【図６】図４の座金付ボルトのカシメ加工において、雄ネジ延長部に対するカシメ治具の押付方向を示す図である。
【図７】図４の座金付ボルトの雄ネジ延長部の一部をカシメ加工前後に分けて拡大して示す図である。
【図８】他の実施例の座金付ボルトの雄ネジ延長部へのカシメ治具の設置方法を説明する図である。
【図９】図８の座金付ボルトの雄ネジ延長部の一部をカシメ加工前後に分けて拡大して示す図である。
【発明を実施するための形態】
【００１４】
以下、本発明の座金付ボルトの一実施例について図面を参照して詳細に説明する。
【実施例１】
【００１５】
図１は、座金付ボルト１０により、板状部材１２が軽合金ダイキャスト１４に締結された状態を示す図である。座金付ボルト１０は、所定のピッチＰを有する雄ネジ１６が形成された軸部１８と、軸部１８の一端に軸部１８より大径に形成された頭部２０と、頭部２０の軸部１８側端部に頭部２０より大径に形成されたフランジ部２２とを備えるボルト２４に、軸部１８の雄ネジ１６と等しいピッチＰを有し、雄ネジ１６と螺合可能な雌ネジ２６を内径側に備えるとともに、円板状のアルミニウム材料がたとえば表面酸化処理されて電気的な絶縁性が付与された、座金として機能する絶縁ワッシャ２８が頭部２０に近い軸部１８に取り付けられることにより構成されている。座金付ボルト１０は、アルミ板３０、鉄板３２および絶縁シート３４が絶縁ワッシャ２８側から順番に層状に重ねられた被締結部材としての板状部材１２を、ボルト２４の雄ネジ１６が軽合金ダイキャスト１４の雌ネジ４０に螺合されることにより、アルミ板３０側に絶縁ワッシャ２８を介して、相手側部材としての軽合金ダイキャスト１４に締結する締結部材である。板状部材１２は、絶縁ワッシャ２８と合成樹脂フィルムなどの電気的な絶縁材料から成る絶縁シート３４に挟まれているとともに、ボルト２４との間に隙間が設けられているため、電気的に絶縁されている。また、ボルト２４は、軽合金ダイキャスト１４の雌ネジ４０に螺合された雄ネジ１６の螺合部位より、ボルト２４の頭部２０側へボルト２４の頭部２０と軽合金ダイキャスト１４との間に締結された板状部材１２の厚み範囲以下まで延長された雄ネジ１６と等しいピッチＰを有する雄ネジ延長部４２を備えている。この雄ネジ延長部４２の長さは、フランジ部２２の絶縁ワッシャ２８側の面である基準面Ｂと絶縁ワッシャ２８のアルミ板３０側の座面との間隔ｇよりも大きく、且つ上記基準面Ｂと雄ネジ１６と雄ネジ延長部４２との境界面すなわち軽合金ダイキャスト１４と螺合された際に軽合金ダイキャスト１４の雌ネジ４０の開口面との間隔ｈよりも小さくなる。雄ネジ延長部４２は、そのネジ山がカシメ治具によるカシメ加工により局所的に変形された回止め部４４（図５および図７に示す。）を有する。この回止め部４４は、絶縁ワッシャ２８の雌ネジ２６に回転抵抗を付与するものであり、ボルト２４の頭部２０とは反対方向への移動が抑制されて、絶縁ワッシャ２８のボルト２４からの脱落が抑制される。
【００１６】
図２は、座金付ボルト１０の絶縁ワッシャ２８の平面図であり、図３は、絶縁ワッシャ２８の内径の中心を通る断面図である。絶縁ワッシャ２８の雌ネジ２６は、雄ネジ１６および雄ネジ延長部４２とピッチが等しく、ネジ山の山径である内径がａ、ネジ山の溝径がｂに形成されている。
【００１７】
図４は、座金付ボルト１０の断面図である。ボルト２４の軸部１８には、雄ネジ延長部４２とボルト２４の頭部２０との間に、絶縁ワッシャ２８の内径ａよりも小さい径ｃの雄ネジ１６が形成されていない首部４６が形成されている。また、ボルト２４の軸部１８は、絶縁ワッシャ２８が螺合可能に、絶縁ワッシャ２８の内径ａより大きく溝径ｂよりも小さい、外径ｄの雄ネジ１６および雄ネジ延長部４２を有している。この絶縁ワッシャ２８の取付け前に雄ネジ１６および雄ネジ延長部４２が予め形成されたボルト２４に対して、絶縁ワッシャ２８が、その雌ネジ２６を介して雄ネジ１６および雄ネジ延長部４２に沿って回転させられつつ、ボルト２４の頭部２０側へ首部４６まで移動させられる。その状態では、雄ネジ延長部４２のボルト２４の頭部２０側の雄ネジ延長部４２の一部にあたるカシメ範囲ｋのネジ山が局所的にカシメ変形された回止め部４４により、絶縁ワッシャ２８の脱落が防止されている。
【００１８】
図５は、座金付ボルト１０のボルト２４のＶ−Ｖ視断面図である。雄ネジ延長部４２のボルト２４の軸部１８の周方向の互いに最も離隔する部分に、カシメ変形された回止め部４４が形成されている。
【００１９】
図６において、座金付ボルト１０のカシメ加工においてカシメ治具を雄ネジ延長部４２に対して押し付ける方向が、破線の矢印で示されている。すなわち、ボルト２４の軸部１８を挟んで対向する位置に相当する雄ネジ延長部４２のカシメ範囲ｋにカシメ治具が当てられた状態で、軸部１８の両側から矢印で示される中心方向へカシメ治具の押付力が作用される。このカシメ加工により雄ネジ延長部４２の一部が局所的に変形されて、雄ネジ延長部４２の軸部１８の周方向の互いに最も離隔する部分に回止め部４４が形成された座金付ボルト１０が得られる。図７の上図は、カシメ加工前の回止め部４４が形成されていない雄ネジ延長部４２を、下図は、カシメ加工後の回止め部４４が形成された雄ネジ延長部４２をそれぞれ示している。また、雄ネジ延長部４２の絶縁ワッシャ２８の雌ネジ２６との関係を示すため、カシメ加工前後において雄ネジ延長部４２の回止め部４４に絶縁ワッシャ２８の雌ネジ２６が併記されている。図７の左下図の回止め部４４は、ネジ山の頂面が折れ曲がる形状を、右下図の回止め部４４は、ネジ山の頂面が潰れた形状をそれぞれ有しており、絶縁ワッシャ２８の雄ネジ延長部４２に沿った回転を抑制する。雄ネジ延長部４２のカシメ加工は、軽合金ダイキャスト１４などの相手側部材への螺合前に行われる。
【００２０】
上述のように、本実施例の座金付ボルト１０によれば、ボルト２４の軽合金ダイキャスト１４との螺合部位よりボルト２４の頭部２０側に向けて雄ネジ延長部４２が形成され、雄ネジ延長部４２には、絶縁ワッシャ２８の回転を抑制する回止め部４４が形成されているため、雄ネジ延長部４２に設けられた回止め部４４により絶縁ワッシャ２８の回転が抑制されることにより、絶縁ワッシャ２８のボルト２４の頭部２０とは反対方向への軸方向の移動が抑止され、絶縁ワッシャ２８のボルト２４からの脱落が抑制される。
【００２１】
また、本実施例の座金付ボルト１０によれば、回止め部４４は、雄ネジ延長部４２の一部がカシメ加工により局所的に変形されたものであるため、カシメ加工により局所的に変形された雄ネジ延長部４２の一部により絶縁ワッシャ２８の回転が抑制されることにより、絶縁ワッシャ２８のボルト２４の頭部２０とは反対方向への軸方向の移動が抑止され、絶縁ワッシャ２８のボルト２４からの脱落が抑制される。
【００２２】
また、本実施例の座金付ボルト１０によれば、雄ネジ延長部４２は、軽合金ダイキャスト１４との螺合位置から、ボルト２４の頭部２０と軽合金ダイキャスト１４との間で締結される板状部材１２の厚み範囲以下まで延長されているため、雄ネジ延長部４２の軽合金ダイキャスト１４との螺合位置からの延長は、板状部材１２の厚みを越えて為されないことにより、ボルト２４の長さが大きくなることが抑制される。
【００２３】
また、本実施例の座金付ボルト１０によれば、軸部１８には、雄ネジ延長部４２とボルト２４の頭部２０との間に、絶縁ワッシャ２８の内径ａより小さい径ｃの雄ネジ１６が形成されていない首部４６が形成されているため、絶縁ワッシャ２８とボルト２４の軸部１８とが干渉して損傷することが抑制される。
【実施例２】
【００２４】
次に、本発明の他の実施例を説明する。なお、以下の実施例において、前記実施例と機能において実質的に共通する部分には同一の符号を付して詳しい説明を省略する。
【００２５】
本実施例の座金付ボルト５０は、カシメ加工の方法およびそれにより雄ネジ延長部５２に形成される回止め部５４の形状が異なる以外は、前述の座金付ボルト１０と機能において実質的に共通する。以下、その異なる点について図８および図９を用いて説明する。図８において、雄ネジ延長部５２のネジ山が実線で、長手状のカシメ治具４８の雄ネジ延長部５２に押圧される先端が点線でそれぞれ示されている。図９は、座金付ボルト５０の雄ネジ延長部５２の一部をカシメ加工前後に分けて拡大して示す図であり、上図がカシメ加工前、下図がカシメ加工後をそれぞれ示す。また、雄ネジ延長部５２の絶縁ワッシャ２８の雌ネジ２６との関係を示すため、カシメ加工前後において雄ネジ延長部５２の回止め部５４に絶縁ワッシャ２８の雌ネジ２６が併記されている。カシメ加工後において、雄ネジ延長部５２の一部に形成された回止め部５４は、そのピッチが絶縁ワッシャ２８の雌ネジ２６のピッチＰよりも小さいピッチＰ’に局所的に変形されており、絶縁ワッシャ２８は回止め部５４により雄ネジ延長部５２に沿った回転が抑制され、頭部２０とは反対方向への軸方向の移動が防止される。
【００２６】
上述のように、本実施例の座金付ボルト５０によれば、前述の実施例１と同様の効果を得ることができる。
【００２７】
また、本実施例の座金付ボルト５０によれば、回止め部５４は、雄ネジ延長部５２の一部が絶縁ワッシャ２８の雌ネジ２６のピッチＰより小さいピッチＰ’に変形されたものであるため、絶縁ワッシャ２８の回転が抑制されることにより、絶縁ワッシャ２８のボルト２４の頭部２０とは反対方向への軸方向の移動が抑止され、絶縁ワッシャ２８のボルト２４からの脱落が抑制される。
【００２８】
以上、本発明を表及び図面を参照して詳細に説明したが、本発明は更に別の態様でも実施でき、その主旨を逸脱しない範囲で種々変更を加え得るものである。
【００２９】
たとえば、前述の実施例１の回止め部４４は、雄ネジ延長部４２のボルト２４の頭部２０側の雄ネジ延長部４２の一部にあたるカシメ範囲ｋに形成されていたが、これに限定されるものではなく、たとえば、雄ネジ延長部４２の軸方向の他の一部に形成されていてもよいし、雄ネジ延長部４２の軸方向の全部に形成されてもよい。
【００３０】
なお、上述したのはあくまでも一実施形態であり、その他一々例示はしないが、本発明は、その主旨を逸脱しない範囲で当業者の知識に基づいて種々変更、改良を加えた態様で実施することができる。
【符号の説明】
【００３１】
１０、５０：座金付ボルト
１２：板状部材（被締結部材）
１４：軽合金ダイキャスト（相手側部材）
１６：雄ネジ
１８：軸部
２０：頭部
２４、５６：ボルト
２６：雌ネジ
２８：絶縁ワッシャ（座金）
４２、５２：雄ネジ延長部
４４、５４：回止め部
４６：首部
【図１】
2016114222.tif 000003
【図２】
2016114222.tif 000004
【図３】
2016114222.tif 000005
【図４】
2016114222.tif 000006
【図５】
2016114222.tif 000007
【図６】
2016114222.tif 000008
【図７】
2016114222.tif 000009
【図８】
2016114222.tif 000010
【図９】
2016114222.tif 000011